(57)【要約】【課題】本発明は、就寝に使用し汗等が付着し易い掛け布団への湿気の滞留を抑えカビや雑菌類の繁殖を予防し得る掛け布団収納具を提供するものである。【解決手段】本発明の掛け布団収納具は、一方の側生地２と、他方の側生地３とを掛け布団２０が収納可能な袋状に縫製し、その一部に掛け布団収納・取り出し用の開口４を形成するファスナ１０を取り付けた掛け布団収納具１であって、両側生地２、３の各内面のうち、側生地３の内面側に位置する第１メッシュ体５と、この第１メッシュ体５に対して隙間保有材７を介して隙間をもって添設される第２メッシュ体６とからなる立体メッシュ構造の通気性構造体８を取り付けたものである。【選択図】図１
2008290730.tif 000002
【特許請求の範囲】
【請求項１】
一方の側生地と、他方の側生地とを、掛け布団が収納可能な袋状に縫製し、その一部に掛け布団収納・取り出し用の開口を形成する開平具を取り付けてなる掛け布団収納具であって、
前記両側生地の各内面のいずれか一方の全面に、立体メッシュ構造の通気性構造体を取り付けたことを特徴とする掛け布団収納具。
【請求項２】
一方の側生地と、他方の側生地とを、掛け布団が収納可能な袋状に縫製し、その一部に掛け布団収納・取り出し用の開口を形成する開平具を取り付けてなる掛け布団収納具であって、
前記両側生地の各内面のいずれか一方の全面に、側生地側に位置する第１メッシュ体と、この第１メッシュ体に対して隙間保有材を介して隙間をもって添設される第２メッシュ体とからなる立体メッシュ構造の通気性構造体を取り付けたことを特徴とする掛け布団収納具。
【請求項３】
一方の側生地と、他方の側生地とを、掛け布団が収納可能な袋状に縫製し、その一部に掛け布団収納・取り出し用の開口を形成する開平具を取り付けてなる掛け布団収納具であって、
前記側生地に光触媒を付着させるとともに、前記両側生地の各内面のいずれか一方の全面に、側生地側に位置する第１メッシュ体と、この第１メッシュ体に対して隙間保有材を介して隙間をもって添設される第２メッシュ体とからなる立体メッシュ構造の通気性構造体を取り付けたことを特徴とする掛け布団収納具。
【請求項４】
一方の側生地と、他方の側生地とを、掛け布団が収納可能な袋状に縫製し、その一部に掛け布団収納・取り出し用の開口を形成する開平具を取り付けてなる掛け布団収納具であって、
前記側生地に光触媒を付着させるとともに、前記両側生地の各内面のいずれか一方の全面に、側生地側に位置する格子メッシュ状の第１メッシュ体と、この第１メッシュ体に対して隙間保有材を介して隙間をもって添設される六角メッシュ状の第２メッシュ体とからなる立体メッシュ構造の通気性構造体を取り付けたことを特徴とする掛け布団収納具。
【請求項５】
一方の側生地と、他方の側生地とを、寝具又は衣類が収納可能な袋状に縫製し、その一部に寝具又は衣類収納・取り出し用の開口を形成する開平具を取り付けてなる掛け布団収納具であって、
前記両側生地の各内面双方の全面に立体メッシュ構造の通気性構造体を取り付けたことを特徴とする寝具・衣類収納具。
【請求項６】
一方の側生地と、他方の側生地とを、寝具又は衣類が収納可能な袋状に縫製し、その一部に寝具又は衣類収納・取り出し用の開口を形成する開平具を取り付けてなる掛け布団収納具であって、
前記両側生地の各内面双方の全面に、側生地側に位置する第１メッシュ体と、この第１メッシュ体に対して隙間保有材を介して隙間をもって添設される第２メッシュ体とからなる立体メッシュ構造の通気性構造体を取り付けたことを特徴とする寝具・衣類収納具。
【請求項７】
一方の側生地と、他方の側生地とを、寝具又は衣類が収納可能な袋状に縫製し、その一部に寝具又は衣類収納・取り出し用の開口を形成する開平具を取り付けてなる掛け布団収納具であって、
前記側生地に光触媒を付着させるとともに、前記両側生地の各内面双方の全面に、側生地側に位置する第１メッシュ体と、この第１メッシュ体に対して隙間保有材を介して隙間をもって添設される第２メッシュ体とからなる立体メッシュ構造の通気性構造体を取り付けたことを特徴とする寝具・衣類収納具。
【請求項８】
一方の側生地と、他方の側生地とを、寝具又は衣類が収納可能な袋状に縫製し、その一部に寝具又は衣類収納・取り出し用の開口を形成する開平具を取り付けてなる掛け布団収納具であって、
前記側生地に光触媒を付着させるとともに、前記両側生地の各内面双方の全面に、側生地側に位置する格子メッシュ状の第１メッシュ体と、この第１メッシュ体に対して隙間保有材を介して隙間をもって添設される六角メッシュ状の第２メッシュ体とからなる立体メッシュ構造の通気性構造体を取り付けたことを特徴とする寝具・衣類収納具。
【発明の詳細な説明】
【技術分野】
【０００１】
本発明は、就寝に使用し汗等が付着し易い掛け布団への湿気の滞留を抑えカビや雑菌類の繁殖を予防し得る掛け布団収納具、及び湿気の滞留を抑えカビや雑菌類の繁殖を予防し得る寝具・衣類収納具に関するものである。
【背景技術】
【０００２】
例えば、通常の布団カバーを付けた掛け布団の場合、これを身体の上に掛けて就寝する人の汗等が布団カバーを経て当該掛け布団本体における人と接触する側の側生地に付着し、更には側生地内の綿部分まで浸透し、このまま寝室内に置いたり、湿気が多い押入等に保管した場合、人の汗等が汗ジミとなり、放置すればカビや雑菌類の繁殖要因となってこのましくない事態が生じる。
【０００３】
特許文献１には、吸湿性基材層と、通気層とを積層することにより吸湿具を構成し、押入等の床に敷設して、この吸湿具上に載置する布団類等の湿気を吸湿除去するようにした技術が提案されている。
しかし、この吸湿具の場合、単に押入等の床に敷設するだけであることから、吸湿具に接触する布団に対する吸湿はし得るものの、この布団の上に更に積み重ねられる他の布団等に対する吸湿作用は十分に発揮し得ないものであった。
【特許文献１】特開２００２−３０６９２１号公報
【発明の開示】
【発明が解決しようとする課題】
【０００４】
本発明が解決しようとする問題点は、就寝に使用し汗等が付着し易い掛け布団等の寝具類の室内への放置時又は押入等への保管時や、湿気の滞留によりカビや雑菌類が繁殖し易い衣類等の保管時において、湿気の滞留を抑えカビや雑菌類の繁殖を予防し得る掛け布団収納具、寝具・衣類収納具が存在しない点である。
【課題を解決するための手段】
【０００５】
本発明の掛け布団収納具は、一方の側生地と、他方の側生地とを掛け布団が収納可能な袋状に縫製し、その一部に掛け布団収納・取り出し用の開口を形成する開平具を取り付けた掛け布団収納具であって、前記両側生地の各内面のいずれか一方の全面に立体メッシュ構造の通気性構造体を取り付けたことを最も主要な特徴とする。
【発明の効果】
【０００６】
請求項１乃至４記載の発明によれば、その内部に掛け布団を収納し、就寝時に人が身体に掛けて就寝し汗をかいたとしても、通気性構造体により掛け布団に染み込む前に発散して除去でき、カビや雑菌類が繁殖することを防止でき、また、通気性構造体により寝床内の湿度を低下させ発汗を無くすことができ、就寝時の健康維持の点でも有益な効果を発揮する掛け布団収納具を提供できる。更に、側生地に光触媒を付着した構成とすれば掛け布団の傷み、腐食を的確に防止することができる掛け布団収納具を提供できる。
【０００７】
請求項５乃至８記載の発明によれば、内部に衣類等を収納し箪笥内等に保管した場合において、通気性構造体により衣類等に対するカビや雑菌類の繁殖を確実に回避し衣類等を守ることができ、また、側生地に光触媒を付着した構成とすれば衣類等の傷み、腐食を的確に防止することができる寝具・衣類収納具を提供できる。
【発明を実施するための最良の形態】
【０００８】
本発明は、就寝に使用し汗等が付着し易い掛け布団の室内への放置時又は押入等への保管時において、湿気の滞留を抑えカビや雑菌類の繁殖を予防し得る掛け布団収納具を提供するという目的を、一方の側生地と、他方の側生地とを掛け布団が収納可能な袋状に縫製し、その一部に掛け布団収納・取り出し用の開口を形成する開平具を取り付けた掛け布団収納具であって、前記両側生地の各内面のいずれか一方の全面に、側生地側に位置する第１メッシュ体と、この第１メッシュ体に対して隙間保有材を介して隙間をもって添設される第２メッシュ体とからなる立体メッシュ構造の通気性構造体を取り付けた構成により実現した。
【実施例】
【０００９】
以下に、本発明の実施例に係る掛け布団収納具及び寝具・衣類収納具について図面を参照して説明する。
【００１０】
（実施例１）
本発明の実施例１に係る掛け布団収納具１について、図１乃至図６を参照して詳細に説明する。
【００１１】
本実施例１に係る掛け布団収納具１は、図１、図２に示すように、各々綿生地からなる一方の側生地２と、他方の側生地３とを、掛け布団２０が収納可能な平面長方形（例えば、２１０ｃｍ×１５５ｃｍ）を呈する袋状に縫製し、その一部である例えば短辺に沿って図３に示すように前記掛け布団２０の収納・取り出し用の開口４を形成する開平具であるファスナ１０を取り付けている。なお、ファスナ１０の取り付け位置、取り付け範囲は図１に示す例に限定されるものではない。
【００１２】
また、本実施例１に係る掛け布団収納具１は、前記両側生地２、３の各内面の内、一方の側生地３の内面全面に渡って、図４、図６に示すように、この側生地３側に位置する例えば四角形格子メッシュ状の第１メッシュ体５と、この第１メッシュ体５に対してある程度剛性を有する透明糸材からなる隙間保有材７を介して通気性を確保するための隙間（例えば数ｍｍ）をもって添設される六角メッシュ状の第２メッシュ体６とからなり、平面長方形を呈する立体メッシュ構造の例えばナイロン、ポリエステルを含有する合成樹脂材からなる通気性構造体８を取り付けている。
【００１３】
前記通気性構造体８は、例えば、図４に示すように、両長辺の端縁を各々前記側生地２、３の両長辺の各端縁とともに縫製し、また、前記開口４とは反対側の短辺の端縁を前記側生地２、３の対応する両短辺の端縁とともに縫製し、更に、前記開口４側の短辺の端縁を、前記ファスナ１０の一辺とともに側生地３の短辺の端縁に縫着して、これらにより、通気性構造体８を掛け布団収納具１内において位置ずれを生じない状態に保持している。
【００１４】
前記側生地２、３には、図４に示すように、光触媒９（黒点で示す）を付着して形成されている。
前記光触媒９は、例えば酸化チタン等からなる半導体を用いて構成され、光エネルギーを受けて触媒作用を発揮することが知られている。
すなわち、光エネルギーによって励起された酸化チタンは、光が当たると、その表面に電子（ｅ−）と正孔（＋）が励起され、この電子と正孔が酸化チタン自体の表面付近に存在する酸素や水と反応し、これにより、その表面付近に付着したカビ、ウイルス等の各細菌類を炭酸ガス（ＣＯ２）や水（Ｈ２Ｏ）に分解し除去する作用を発揮する。
【００１５】
上述した構成からなる本実施例１に係る掛け布団収納具１によれば、この掛け布団収納具１内に、図２に示すように、掛け布団２０を収納し、就寝時に人が身体に掛けて就寝した場合に、仮に汗をかいてこの汗が掛け布団収納具１内に浸透したとしても、前記通気性構造体８が通気性を有することから、前記汗は掛け布団２０に染み込む前に発散して除去される。この結果、掛け布団２０自体に汗が浸透して汗ジミができ、カビや雑菌類が繁殖するという事態を確実に回避することができる。
【００１６】
また、掛け布団収納具１内に掛け布団２０を収納した状態で、人が身体に掛けて就寝した場合において、梅雨時等において寝床内の湿度が上昇し、身体がべた付き寝苦しく、更に汗をかくことで体温が低下し風邪を引く等健康面に問題が生じる場合もあるが、本実施例１に係る掛け布団収納具１によれば、前記通気性構造体８が通気性を有することから、寝床内の湿度を低下させ発汗を無くすことができ、就寝時の健康維持の点でも有益な効果を発揮する。
【００１７】
更に、掛け布団収納具１内に掛け布団２０を収納した状態で、寝室内へ放置したり、更には押入等へ保管したりする場合においても、前記通気性構造体８が通気性を有することから、掛け布団２０への湿気の滞留を無くすことができ、快適な就寝環境を確保することができる。
【００１８】
加えて、前記側生地２、３に光触媒９を付着させていることから、仮に掛け布団２０にカビ、ウイルス等の細菌類が付着した場合においても、この細菌類は通気性構造体８の通気性により光触媒９に接触し易くなり、光触媒９の作用で分解除去され、これにより、掛け布団２０の傷み、腐食を的確に防止することができる。
【００１９】
（実施例２）
本発明の実施例２に係る寝具・衣類収納具２１について、図７乃至図１０を参照して詳細に説明する。
【００２０】
本実施例２に係る寝具・衣類収納具２１は、前記通気性構造体８を用いる点では実施例１に係る掛け布団収納具１と同様であり、実施例１と同一の要素には同一の符号を付して示す。
【００２１】
本実施例２に係る寝具・衣類収納具２１は、図７、図８に示すように、各々綿生地からなる一方の側生地２２と、他方の側生地２３とを、例えばシャツ類、パジャマ類等の衣類３０が収納可能な大きさ、すなわち、実施例１に係る掛け布団収納具１よりも小寸法の正方形状（例えば、９０ｃｍ×９０ｃｍ）を呈する袋状に縫製し、その一部である例えば短片及び長辺に沿って図９に示すように前記衣類３０の収納・取り出し用の開口２４を形成する開平具であるファスナ２５を取り付けている。
【００２２】
また、本実施例２に係る寝具・衣類収納具２１は、図８、図１０に示すように、前記両側生地２２、２３の各内面の双方に全面に渡って各々実施例１と同様な１メッシュ体５、第２メッシュ体６及び隙間保有材７からなる立体メッシュ構造の通気性構造体８、８を取り付けている。
【００２３】
前記各通気性構造体８、８の両側生地２２、２３及びファスナ２５に対する取り付け態様も実施例１の場合と同様である。
【００２４】
更に、前記側生地２２、２３には、図９に示すように、実施例１の場合と同様な光触媒９（黒点で示す）を付着して形成されている。
上述した構成からなる本実施例２に係る寝具・衣類収納具２１によれば、この寝具・衣類収納具２１内に、図８に示すように、衣類３０を収納し、例えば特に梅雨時等において高温多湿となる衣類用の箪笥内等に保管した場合において、衣類３０に対するカビや雑菌類の繁殖を確実に回避し衣類３０を守ることができる。
【００２５】
すなわち、単に衣類３０を箪笥内等に保管した場合においては高温多湿の環境のため衣類３０にカビや雑菌類付着して繁殖し、この衣類３０を傷めてしまうが、本実施例２に係る寝具・衣類収納具２１によれば、前記通気性構造体８による通気性によりカビや雑菌類の繁殖を抑え、衣類３０のカビや雑菌類等による傷み、腐食を確実に防止できる。
また、前記側生地２２、２３に光触媒９を付着させていることから、仮に衣類３０にカビ、ウイルス等の細菌類が付着した場合においても、この細菌類は通気性構造体８の通気性により光触媒９に接触し易くなり、光触媒９の作用で分解除去され、これにより、衣類３０の傷み、腐食を的確に防止することができる。
【産業上の利用可能性】
【００２６】
本発明は、上述した掛け布団等の寝具類、衣類の収納、保管に適用する場合の他、例えばタオルケット、毛布類等の寝具、各種シャツ類、パジャマ類等の収納保管に広範に対応できる。
【図面の簡単な説明】
【００２７】
【図１】本発明の実施例１に係る掛け布団収納具の概略平面図である。
【図２】本実施例１に係る掛け布団収納具の概略断面図である。
【図３】本実施例１に係る掛け布団収納具のファスナ部分を開いた状態の部分拡大斜視図である。
【図４】本実施例１に係る掛け布団収納具の辺部端縁の縫製状態を示す部分拡大断面図である。
【図５】本実施例１に係る掛け布団収納具における通気性構造体の部分拡大平面図である。
【図６】本実施例１に係る掛け布団収納具における通気性構造体の部分拡大断面図である。
【図７】本発明の実施例２に係る寝具・衣類収納具の概略平面図である。
【図８】本実施例２に係る寝具・衣類収納具の概略断面図である。
【図９】本実施例２に係る寝具・衣類収納具の辺部端縁の縫製状態を示す部分拡大断面図である。
【図１０】本実施例２に係る寝具・衣類収納具のファスナ部分を開いた状態の部分拡大斜視図である。
【符号の説明】
【００２８】
１  掛け布団収納具
２  側生地
３  側生地
４  開口
５  第１メッシュ体
６  第２メッシュ体
７  隙間保有材
８  通気性構造体
９  光触媒
１０  ファスナ
２０  布団
２１  寝具・衣類収納具
２２  側生地
２３  側生地
２４  開口
２５  ファスナ
３０  衣類
【図１】
2008290730.tif 000003
【図２】
2008290730.tif 000004
【図４】
2008290730.tif 000005
【図５】
2008290730.tif 000006
【図６】
2008290730.tif 000007
【図７】
2008290730.tif 000008
【図８】
2008290730.tif 000009
【図９】
2008290730.tif 000010
【図３】
2008290730.tif 000011
【図１０】
2008290730.tif 000012